(57)【特許請求の範囲】
【請求項１】
平行多数の補強リブを並列配置するとともに該補強リブの突出幅と配置ピッチの一方又は双方を補強リブの並列方向に向けて拡大及び／又は縮小する突出幅変化とピッチ変化の一方又は双方を施すことによって相互に異種のパターンをなすように補強リブの配置パターンを変化した異種パターン複数種を備えてなることを特徴とする建築用パネル。
【請求項２】
並列方向端部に位置する補強リブの突出幅を，隣接設置時に上記補強リブの配置パターンが相互に連続状となるように設定してなることを特徴とする請求項１に記載の建築用パネル。
【請求項３】
並列方向端部に位置する補強リブ又はこれと並列方向端部に張出設置した張出縁部を相互に重合して設置対象に連結固定自在としてなることを特徴とする請求項１又は２に記載の建築用パネル。
【発明の詳細な説明】
【０００１】
【発明の属する技術分野】
本発明は建物の内外装用，仕切用，目隠用等として用いる建築用パネルに関する。
【０００２】
【従来の技術及び発明が解決しようとする課題】
この種建築用パネルとして金属製，樹脂製，モルタル製，ガラス製等各種材質にして，所定寸法の方形，矩形等板体のものが用いられており，例えばモルタル製のものに表面に凹凸を付したものが見られるも，一般にこれらは板体としてフラットな印象を与えるものが多く，例えば建物の壁面等に立体感を与えるデザイン要素として使用したりすることができないのが普通である。
【０００３】
本発明はかかる事情に鑑みてなされたもので，その解決課題とするところは，建物に用いてそれ自体のパネル強度を確保するとともに建物に立体感を与えるデザイン要素として使用可能な建築用パネルを提供するにある。
【０００４】
【課題を解決するための手段】
上記課題に添って本発明は，所定の突出幅と配置ピッチによる平行多数の補強リブを配置することによって建築用パネルとしてのパネル強度を確保するとともにその突出幅又は配置ピッチを変化してその補強リブの配置パターンを変化した異種パターン複数種の建築用パネルを備えることによって建物に立体感を与えるデザイン要素して使用可能としたものであって，即ち，請求項１に記載の発明を，平行多数の補強リブを並列配置するとともに該補強リブの突出幅と配置ピッチの一方又は双方を補強リブの並列方向に向けて拡大及び／又は縮小する突出幅変化とピッチ変化の一方又は双方を施すことによって相互に異種のパターンをなすように補強リブの配置パターンを変化した異種パターン複数種を備えてなることを特徴とする建築用パネルとしたものである。
【０００５】
請求項２に記載の発明は，上記に加えて，建築用パネルとして使用したときにデザインの連続性を確保し得るものとするように，これを，並列方向端部に位置する補強リブの突出幅を，隣接設置時に上記補強リブの配置パターンが相互に連続状となるように設定してなることを特徴とする請求項１に記載の建築用パネルとしたものである。
【０００６】
請求項３に記載の発明は，同じく上記に加えて，建築用パネルの設置を納まりよく，確実になし得るものとするように，これを，並列方向端部に位置する補強リブ又はこれと並列方向端部に張出設置した張出縁部を相互に重合して設置対象に連結固定自在としてなることを特徴とする請求項１又は２に記載の建築用パネルとしたものである。
【０００７】
本発明はこれらをそれぞれ発明の要旨として，上記課題解決の手段としたものである。
【０００８】
【発明の実施の形態】
以下図面の例に従って本発明を更に具体的に説明すると，Ａは，本例にあって例えばベランダ手摺１０にその目隠用に設置使用するようにした建築用パネルであり，該建築用パネルＡは，平行多数の補強リブ１を並列配置して，例えばアルミ板，鋼板等の金属板或いは樹脂板等の板材を成形加工することによって補強リブ１を所定の突出幅と配置ピッチによって一体に成形具備した金属製，樹脂製等のものとしてある。
【０００９】
このとき建築用パネルＡの上記補強リブ１はその突出幅と配置ピッチの一方又は双方を補強リブ１の並列方向に向けて拡大及び／又は縮小する突出幅変化とピッチ変化の一方又は双方を施すことによって補強リブ１の配置パターンを変化したものとし，これによって上記ベランダ手摺１０の目隠用に設置使用した際に，建物に立体感を与えるデザイン要素をなすようにしてある。
【００１０】
即ち，建築用パネルＡは，相互に異種のパターンをなすように補強リブ１の配置パターンを変化した異種パターン複数種を備えたものとしてあり，本例の建築用パネルは，例えばこれを異種パターン２種としてこれらを交互に配置使用するようにしてあり，このとき該２種のうち一方の建築用パネルＡ１は，上記補強リブ１の突出幅と配置ピッチの双方を補強リブ１の並列方向に向けて，例えばその中央から端部に拡大する突出幅変化とピッチ変化の双方を施して補強リブ１の配置パターンを変化したものとし，また他方の建築用パネルＡ２は，上記補強リブ１の突出幅と配置ピッチの一方，本例にあっては配置ピッチを同じく補強リブ１の並列方向にむけて，例えばその中央から端部に縮小する突出幅変化とピッチ変化の一方，即ちピッチ変化を施して補強リブ１の配置パターンを変化したものとしてある。
【００１１】
即ち本例の各建築用パネルＡ１，Ａ２は，例えばそれぞれ数拾ｃｍ程度，本例にあっては２０乃至３０ｃｍ程度の横幅にして補強リブ１が縦リブをなすように縦向きに配置したものとしてある。
【００１２】
また本例における建築用パネルＡ１，Ａ２における補強リブ１は，その各断面形状を，正面側に湾曲する波を連続形成するようにした湾曲波状として，建築用パネルＡ１，Ａ２をそれぞれ正面側に膨出し又は凹陥する波板をなすようにしてある。
【００１３】
建築用パネルＡ１，Ａ２における補強リブ１の変化は，その並列方向に漸増状に拡大又は漸減状に縮小するように順次に行なってあり，これによって補強リブ１配置パターンの変化を，可及的に滑らかな無段階的な外観を示すものとしてあり，本例にあって該補強リブ１の変化はこれを建築用パネルＡ１において，例えば１ｃｍ以下程度から数ｃｍ程度に亘る突出幅と配置ピッチの変化をなすように，建築用パネルＡ２において突出幅を数ｃｍ程度に一定とし，数ｃｍから拾数ｃｍ程度に亘る配置ピッチの変化をなすようにしてある。
【００１４】
このとき上記建築用パネルＡ１，Ａ２における並列方向端部に位置する補強リブ１は，その突出幅を，隣接設置時に上記補強リブの配置パターンが相互に連続状となるように設定したものとしてあり，本例にあっては建築用パネルＡ１，Ａ２の端部の補強リブ１を１ｃｍ以下程度の差，例えば数ｍｍ程度の差をなすようにして，その配置パターンの連続性を確保するようにしてある。
【００１５】
また上記建築用パネルＡ１，Ａ２は，並列方向端部に位置する補強リブ１又はこれと並列方向端部に張出設置した張出縁部２を相互に重合して設置対象に連結固定自在としてあり，本例にあっては建築用パネルＡ１の並列方向端部に位置する補強リブ１と建築用パネルＡ２の並列方向端部に張出設置した張出縁部２とを相互に重合してその連結固定を行なうようにしてあり，本例の連結固定は，建築用パネルＡ１，Ａ２の上記補強リブ１と張出縁部２を重合してこれら建築用パネルＡ１，Ａ２の背面側に配置したパネル固定材３，本例にあっては幅方向に長尺のＬ字チャンネル材に，例えばリベット等の固定金具４によってこれを行ってあり，また本例にあっては該連結固定に加えて，建築用パネルＡ１，Ａ２の固定を更に確実にするように，これら建築用パネルＡ１，Ａ２の各中間位置，本例では中央位置でそれぞれ同様に固定金具４による上記パネル固定材３への固定を行なってある。
【００１６】
建築用パネルＡ１，Ａ２は，本例にあって上記パネル固定材３に固定した状態で，ベランダ手摺１０の支柱１１にブラケット１２を介して上記パネル固定材３を固定することによって，ベランダ手摺１０に設置してその目隠を行なって，該建築用パネルＡを目隠パネルとして使用したものとしてある。
【００１７】
図中５は建築用パネルＡ２を先付けして建築用パネルＡ１を後付けすることによって上記連結固定を可能とするように建築用パネルＡ２の張出縁部２を先付したリベット，１３はベランダ手摺１０の手摺用笠木，１４はベランダ手摺１０の補助手摺，１５ベランダ手摺１０の支柱ブラケット，１６は該支柱ブラケット１０のパラペット笠木をそれぞれ示す。
【００１８】
本例の異種パターン２種，即ち凹陥した建築用パネルＡ１と膨出した建築用パネルＡ２を連結することによって，これらは正面に波打ち状に膨出する波打ち形状をなすようになって，建物に立体感を与えるデザイン要素として用いることが可能になり，これを用いた本例のベランダ手摺１０は，建物のデザイン要素として立体感に富んだ目隠を形成し得るものとなる。
【００１９】
図示した例は以上のとおりとしたが，建築用パネルを内外装用に用い或いは仕切用として用いること等を含めて，本発明の実施に当って，建築用パネル，その補強リブ，突出幅，配置ピッチ，配置パターン等の各具体的用途，材質，形状，構造，寸法，数，これらの関係，これらに対する付加等は，上記発明の要旨に反しない限り様々の形態のものとすることができる。
【００２０】
【発明の効果】
本発明は以上のとおりに構成したから，請求項１に記載の発明は，所定の突出幅と配置ピッチによる平行多数の補強リブを配置することによって建築用パネルとしてのパネル強度を確保するとともにその突出幅又は配置ピッチを変化してその補強リブの配置パターンを変化した異種パターン複数種の建築用パネルを備えることによって建物に立体感を与えるデザイン要素して使用可能とした建築用パネルを提供することができる。
【００２１】
請求項２に記載の発明は，上記に加えて，上記に加えて，建築用パネルとして使用したときにデザインの連続性を確保し得るものとすることができる。
【００２２】
請求項３に記載の発明は，同じく上記に加えて，建築用パネルの設置を納まりよく，確実になし得るものとすることができる。
【図面の簡単な説明】
【図１】  ベランダ手摺の部分正面図である。
【図２】  ベランダ手摺の縦断面図である。
【図３】  ベランダ手摺の部分横断面図である。
【図４】  建築用パネルの枠材への連結固定状態を示す部分拡大図である。
【符号の説明】
Ａ１  建築用パネル
Ａ２  建築用パネル
１  補強リブ
２  張出縁部
１０  ベランダ手摺
【図１】
0004402825.tif 000002
【図２】
0004402825.tif 000003
【図３】
0004402825.tif 000004
【図４】
0004402825.tif 000005